(57)【要約】【課題】小型、軽量化が可能であり、さらに、配光を簡単に変更することができる照明装置を提供する。【解決手段】  光源部７を収容する器具本体３を、屋外に立設したポール２に取り付けてなる照明装置１において、前記光源部７は、取付体１１の表面に１又は複数のＬＥＤユニット１３が設けられた球状光源体１０を有すると共に、該球状光源体１０は、上下方向のそれぞれに他の球状光源体１０を連結可能に構成されている。【選択図】図１
2008218182.tif 000002
【特許請求の範囲】
【請求項１】
光源部を収容する器具本体を支柱に取り付けてなる照明装置において、
前記光源部は、取付体の表面に１又は複数のＬＥＤユニットが設けられたＬＥＤ光源体を有すると共に、該ＬＥＤ光源体は、上下方向のそれぞれに他のＬＥＤ光源体を連結可能に構成されていることを特徴とする照明装置。
【請求項２】
請求項１に記載の照明装置において、
前記ＬＥＤ光源体の前記取付体を略球状に形成すると共に、
少なくとも２つ以上の前記ＬＥＤ光源体同士を上下に連結する連結軸を、それぞれのＬＥＤ光源体の径内に設けたことを特徴とする照明装置。
【請求項３】
請求項１又は２に記載の照明装置において、
前記ＬＥＤ光源体のそれぞれに、上又は下に位置する他のＬＥＤ光源体と連結する連結軸の挿入部を設け、前記ＬＥＤ光源体のそれぞれを前記連結軸周りに回転可能にしたことを特徴とする照明装置。
【請求項４】
請求項１乃至３のいずれかに記載の照明装置において、
前記ＬＥＤ光源体のそれぞれに、上又は下に位置する他のＬＥＤ光源体と連結する連結軸の挿入部を複数設け、前記連結軸が挿入される挿入部に応じて、前記ＬＥＤ光源体に取り付けられた１又は複数のＬＥＤユニットの光の照射方向を変更可能にしたことを特徴とする照明装置。
【請求項５】
請求項２乃至４のいずれかに記載の照明装置において、
前記連結軸を中空な管状に形成し、それぞれの前記ＬＥＤ光源体の表面に取り付けた前記１又は複数のＬＥＤユニットの導線を前記ＬＥＤ光源体の内部から前記連結軸内を通し、前記器具本体内に設けた電源装置に接続したことを特徴とする照明装置。
【請求項６】
請求項１乃至５のいずれかに記載の照明装置において、
前記ＬＥＤ光源体の取付体を高熱伝導性材から形成すると共に、その表面に複数の放熱フィンを一体形成したことを特徴とする照明装置。
【発明の詳細な説明】
【技術分野】
【０００１】
本発明は照明装置に関する。
【背景技術】
【０００２】
従来、公園や街路などを照明する屋外用の照明装置として、屋外に立設した支柱に器具本体を取り付けてなる照明装置が知られている。
一般に、この種の照明装置は、上記器具本体に、ランプ光源、反射板及び安定器などを収納して構成されている（例えば、特許文献１参照）。
【特許文献１】特開２００７−２７０１２号公報
【発明の開示】
【発明が解決しようとする課題】
【０００３】
しかしながら、従来の上記のような照明装置においては、反射板により配光を制御するため、配光を変更することが困難である、といった問題がある。さらに、単数のランプ光源を光制御するには、少なくとも当該ランプ光源を覆う寸法の反射板を要するため、器具本体のサイズが大きくなるばかりか、器具本体の重量も重くなる、といった問題がある。
【０００４】
本発明は、上述した事情に鑑みてなされたものであり、小型、軽量化が可能であり、さらに、配光を簡単に変更することができる照明装置を提供することを目的とする。
【課題を解決するための手段】
【０００５】
上記目的を達成するために、本発明は、光源部を収容する器具本体を、屋外に立設した支柱に取り付けてなる照明装置において、前記光源部は、取付体の表面に１又は複数のＬＥＤユニットが設けられたＬＥＤ光源体を有すると共に、該ＬＥＤ光源体は、上下方向のそれぞれに他のＬＥＤ光源体を連結可能に構成されていることを特徴とする。
【０００６】
また、本発明は、上記発明において、前記ＬＥＤ光源体の前記取付体を略球状に形成すると共に、少なくとも２つ以上の前記ＬＥＤ光源体同士を上下に連結する連結軸を、それぞれのＬＥＤ光源体の径内に設けたことを特徴とする。
【０００７】
また、本発明は、上記発明において、前記ＬＥＤ光源体のそれぞれに、上又は下に位置する他のＬＥＤ光源体と連結する連結軸の挿入部を設け、前記ＬＥＤ光源体のそれぞれを前記連結軸周りに回転可能にしたことを特徴とする。
【０００８】
また、本発明は、上記発明において、前記ＬＥＤ光源体のそれぞれに、上又は下に位置する他のＬＥＤ光源体と連結する連結軸の挿入部を複数設け、前記連結軸が挿入される挿入部に応じて、前記ＬＥＤ光源体に取り付けられた１又は複数のＬＥＤユニットの光の照射方向を変更可能にしたことを特徴とする。
【０００９】
また、本発明は、上記発明において、前記連結軸を中空な管状に形成し、それぞれの前記ＬＥＤ光源体の表面に取り付けた前記１又は複数のＬＥＤユニットの導線を前記ＬＥＤ光源体の内部から前記連結軸内を通し、前記器具本体内に設けた電源装置に接続したことを特徴とする。
【００１０】
また、本発明は、上記発明において、前記ＬＥＤ光源体の取付体を高熱伝導性材から形成すると共に、その表面に複数の放熱フィンを一体形成したことを特徴とする。
【発明の効果】
【００１１】
本発明によれば、ＬＥＤユニットが設けられたＬＥＤ光源体により光源部を構成したため、ランプ光源に比べて所望の照射範囲を効率良く照明することが可能となり、また、当該ＬＥＤ光源体を上下方向に連結可能に構成したため、配光或いは照射方向の異なるＬＥＤ光源体を組み合わせて、配光や照射範囲を簡単に変更することが可能となる。
【発明を実施するための最良の形態】
【００１２】
以下、図面を参照して本発明の一実施形態として屋外用の照明装置について説明する。
図１は本実施形態に係る屋外用照明装置１の構成を示す図であり、図２は屋外用照明装置１の斜視図、図３は屋外用照明装置１の分解図である。
屋外用照明装置１は、屋外に立設されたポール（支柱）２の頂上部に設けられる器具本体３を有している。器具本体３は、ポール２の頂上部が挿入される本体部４を有している。この本体部４は、例えばアルミダイカストを、底部４Ａから上端部４Ｂにかけて緩やかに拡径する略円錐台状に形成して構成されており、底部４Ａには、上記ポール２の頂上部が挿入され、また、内部には、電源装置５が内蔵されている。
【００１３】
本体部４の上端部４Ｂは略偏平に形成され、この上端部４Ｂの上には、例えばアルミダイカストを、頂上が略球状のドーム型に形成してなる取付カバー体６がネジで固定されており、この取付カバー体６の頂上部６Ａに光源部７が取り付けられている。
そして、下端側が本体の上端部４Ｂと略同径に形成され高さ方向に緩やかに拡径する略円錐台形状部８Ａと、この略円錐台形状部８Ａの上端側に接する球面形状部８Ｂとが幾何学的に組み合わされた形状である略涙滴形のグローブ８が、上記取付カバー体６及び光源部７を上から覆うように本体部４に取り付けられている。このグローブ８は、例えばポリカーボネート等の光透過性を有する樹脂材、或いは、ガラス材から形成されている。
【００１４】
次いで、上記光源部７について詳述する。
光源部７は、複数の球状光源体（ＬＥＤ光源体）１０を上下に連結して構成されており、本実施形態では球状光源体１０の連結数を２としている。
図４は、上記球状光源体１０の構成を示す分解斜視図である。
球状光源体１０は、熱伝導性材を略球状に形成してなる取付体１１の表面に、略矩形の偏平な底面１２Ａを有する取付凹部１２を形成し、この取付凹部１２にＬＥＤユニット１３を取り付けて構成されている。
【００１５】
ＬＥＤユニット１３は、図４及び図５に示すように、アクリル樹脂などの樹脂材を砲弾型に形成してなるレンズ体２０と、図示しないＬＥＤ素子とを備えて構成したＬＥＤ光源２１を構成し、高熱伝導性材から形成されたマウント基板２２にマウントして構成されており、上記レンズ体２０の形状を調整することで配光特性が制御可能に構成されている。
マウント基板２２にはネジ孔２３が設けられており、このネジ孔２３にネジ１４を通してＬＥＤユニット１３が取付体１１の取付凹部１２に交換自在に取り付けられる。ＬＥＤユニット１３の取付時には、ＬＥＤユニット１３のマウント基板２２と取付凹部１２の底面１２Ａとが面接触し、ＬＥＤユニット１３の発熱が取付体１１に熱伝導し、該取付体１１の表面に、互いに一定の間隔で並んで形成された放熱フィン１５から効率良く放熱される。
本実施形態では、球状光源体１０に上記ＬＥＤユニット１３が２つ取り付けられており、図６（Ａ）に示すように、球状の取付体１１の中心Ｏを通る鉛直方向の中心線Ｃを鉛直角θ＝０度とした場合に、それぞれのＬＥＤユニット１３の照射方向Ａ１、Ａ２が鉛直角θ１＝４５度、鉛直角θ２＝−４５度となるように取り付けられている。
【００１６】
次いで、球状光源体１０同士の連結構造について説明すると、球状光源体１０と上記取付カバー体６と同士、或いは、球状光源体１０と他の球状光源体１０同士は、前掲図３に示すように、中空リング状の連結部材４０にて連結されている。
詳細には、図６（Ａ）に示すように、上記中心線Ｃと、取付体１１の表面とが交差する２箇所、すなわち、球体における上下の極点に挿入部３０Ａが形成されており、この挿入部３０Ａに、連結部材４０の上下に形成された、連結軸を構成する管状の凸部４１を挿入して、球状光源体１０同士を上下に連結する。また、前掲図３に示すように、上記取付カバー体６の頂上部６Ａにも連結部材４０が差し込まれており、この連結部材の凸部４１に、球状光源体１０の挿入部３０Ａを挿入して、球状光源体１０と取付カバー体６同士が上下に連結される。
連結部材４０により連結された球状光源体１０は、連結軸たる上記凸部４１の軸周りに回転可能であり、これにより、球状光源体１０の２つのＬＥＤユニット１３が照射する水平角方向を適宜に調整することが可能となる。
【００１７】
さらに、図６（Ｂ）に示すように、上記中心線Ｃに対してθ３（＝約４５度）だけ傾いた中心線Ｃａと、取付体１１の表面とが交差する２箇所にも挿入部３０Ｂが形成されており、挿入部３０Ａ、３０Ｂのどちらを連結部材４０の凸部４１に挿入するかによって、各ＬＥＤユニット１３の照射方向Ａ１、Ａ２を鉛直角方向に角度θ３だけ調整することが可能となっている。
【００１８】
これにより、球状光源体１０を連結部材４０により複数連結した際に、各球状光源体１０のＬＥＤユニット１３の照射方向Ａ１、Ａ２を、上記連結部材４０の凸部４１に対する回転と、凸部４１を挿入する挿入部３０Ａ、３０Ｂの選択とによって適宜に調整することで、光源部７として種々の配光を持たせることができる。
例えば、前掲図１に示す例においては、下側の球状光源体１０に対して上側の球状光源体１０を９０度だけ回転させた姿勢で取り付けることで、ポール２を囲む範囲が照明される。また例えば、図７に示すように、上下のそれぞれの球状光源体１０が同一の方向を照射する姿勢で取り付けられることで、球状光源体１０を１個とした場合に比べて、照明箇所の照度を高めることが可能となる。
また、球状光源体１０が球状に形成されているため、球状光源体１０を上下に連結した場合であっても、球状光源体１０が他の球状光源体１０から放射された光を遮光することが防止され、照明効率が高められる。
【００１９】
また、各球状光源体１０を上下に連結する連結部材４０を、各球状光源体１０の中心線Ｃ又はＣａを結び線上に配置し、この連結部材４０による連結軸を各球状光源体１０の直径Ｒ（図６参照）内に配置しているため、例えば、各球状光源体１０の両側に支持板などを配置し、これらの支持板により球状光源体１０を両側から挟み込むようにして支持する支持構造に比べ、球状光源体１０から水平方向（横方向）に向かう光が支持板により遮蔽される事が無く、連結軸周りの任意の方向に光を照射することが可能となる。
【００２０】
さて、各球状光源体１０の球状の取付体１１は、上下２つの半球体１１Ａ、１１Ｂに分離可能に構成されており、下側の半球体１１Ｂに上記２つのＬＥＤユニット１３が取り付けられている。半球体１１Ｂの内部には、図８に示すように、挿入部３０Ａに連通する連通室１６が形成されており、この連通室１６の一部には、半球体１１Ｂの表面に取り付けたＬＥＤユニット１３のリード線（導線）２５を連通室１６に引き込む引込孔３５が形成されている。
なお、図８には、２つのＬＥＤユニット１３のそれぞれのリード線２５の一方のみを示している。また、図示を省略するが、この連通室１６は、挿入部３０Ａの他にも挿入部３０Ｂに連通している。
【００２１】
また、図示を省略するが、上側の半球体１１Ａにも、挿入部３０Ａ、３０Ｂのそれぞれと連通し、また、半球体１１Ａ、１１Ｂを接合した際には、半球体１１Ａの連通室１６と繋がる上記連通室１６と略同形の部屋が形成されている。
したがって、各球状光源体１０においては、ＬＥＤユニット１３のリード線２５が内部の連通室１６に導かれ、挿入部３０Ａ又は３０Ｂを通して、中空の連結部材４０を介して、下に配置した他の球状光源体１０のそれぞれの内部に導入される。そして、同様にして、このリード線２５を各球状光源体１０の内部を順に通して本体部４に内蔵された電源装置５に接続する。
【００２２】
これにより、ＬＥＤユニット１３のリード線２５を球状光源体１０の内部を通して、本体部４に収納された電源装置５に接続するため、リード線２５が外側に露出する事が無く、美観を損ねる事がない。
また、球状光源体１０の取付体１１を半球体１１Ａ、１１Ｂに分離可能にしているため、連結部材４０を挿入する挿入部３０Ａ、３０Ｂを変更した場合に、変更後の挿入部３０Ａ、３０Ｂにリード線２５を挿入し直す作業を簡単に行うことができる。
【００２３】
以上説明したように、本実施形態によれば、熱伝導性材からなる取付体１１の表面に２つのＬＥＤユニット１３が設けられた球状光源体１０を有して光源部７を構成したため、ランプ光源及び反射板を備えた屋外用照明装置に比べて小型、軽量化が可能になると共に、所望の照射範囲を効率良く照明することが可能となり、また、当該ＬＥＤ光源体を上下方向に連結可能に構成したため、配光或いは照射方向の異なるＬＥＤ光源体を組み合わせて、配光や照射範囲を簡単に変更することが可能となる。
さらに、各球状光源体１０を球状に形成したため、上下に連結した球状光源体１０のそれぞれが、他の球状光源体１０から放射された光を遮蔽することが防止され、照明効率を高めることが可能となる。
【００２４】
また、本実施形態によれば、球状光源体１０のそれぞれの中心線Ｃ又はＣａ上に連結部材４０を介在させて球状光源体１０同士を上下に連結し、該連結部材４０による連結軸がそれぞれの球状光源体１０の直径内に収まるように設けられているため、例えば、各球状光源体１０の両側に支持板などを配置し、これらの支持板が球状光源体１０それぞれを両側から挟み込むようにして固定する支持構造に対して、各球状光源体１０から横方向（水平方向）に放射された光が支持板により遮蔽される事が無く、連結軸周りの任意の方向に光を照射することが可能となる。
【００２５】
また、本実施形態によれば、球状光源体１０のそれぞれを連結軸周りに回転可能にしたため、各球状光源体１０の照射方向（水平角方向）を任意に設定することが可能となる。
さらに、本実施形態によれば、球状光源体１０のそれぞれに、複数の挿入部３０Ａ、３０Ｂを設けたため、連結部材４０の凸部４１が挿入される挿入部３０Ａ、３０Ｂに応じて、ＬＥＤユニット１３の光の照射方向（鉛直角方向）が変更可能になる。
そして、照射方向の異なる複数の球状光源体１０を上下に連結することで、光源部７の配光を任意に変更することが可能となる。
【００２６】
また、本実施形態によれば、ＬＥＤユニット１３のリード線２５を球状光源体１０の内部を通して、本体部４に収納された電源装置５に接続するため、リード線２５が外側に露出する事が無く、美観を損ねる事がない。
また、球状光源体１０の取付体１１を半球体１１Ａ、１１Ｂに分離可能にしているため、連結部材４０を挿入する挿入部３０Ａ、３０Ｂを変更した場合に、変更後の挿入部３０Ａ、３０Ｂにリード線２５を簡単に挿入し直すことができる。
【００２７】
また、本実施形態によれば、取付体１１を高熱伝導性材から形成すると共に、その表面に複数の放熱フィン１５を一体形成したため、ＬＥＤユニット１３の放熱が効率よく行われる。
【００２８】
なお、上述した実施の形態は、あくまでも本発明の一態様を示すものであり、本発明の範囲内で任意に変形および応用が可能である。
例えば、上述した実施形態において、球状光源体１０のそれぞれの間に、上下の連結用の管状の凸部４１を有する連結部材４０を配置して、球状光源体１０を連結部材４０に挿入して連結する場合を例示した。
これに対して、図９に示すように、複数の球状光源体１０を上下に貫通する連結軸４５を本体部４に設け、この連結軸４５に球状光源体１０を貫通させて上下に連結する構成としても良い。
また、上述した実施形態において、球状の取付体１１に２つのＬＥＤユニット１３を取り付けて球状光源体１０を構成したが、取り付けるＬＥＤユニット１３の数は１つでも良いし、また、３つ以上であっても良い。
さらに、ＬＥＤユニット１３の数の異なる球状光源体１０を上下に配置して光源部７を構成しても良い。
【図面の簡単な説明】
【００２９】
【図１】本発明の実施形態に係る屋外用照明装置の構成を示す図。
【図２】屋外用照明装置の斜視図。
【図３】屋外用照明装置の分解図。
【図４】球状光源体の構成を示す分解図。
【図５】ＬＥＤユニットの構成を示す図。
【図６】ＬＥＤユニットの取付位置を説明するための図。
【図７】屋外用照明装置の配光可変を説明するための図。
【図８】ＬＥＤユニットの球状光源体の内部を通した配線を示す図。
【図９】屋外用照明装置の他の態様を示す図。
【符号の説明】
【００３０】
１  屋外用照明装置
２  ポール（支柱）
３  器具本体
４  本体部
５  電源装置
６  取付カバー体
７  光源部
８  グローブ
１０  球状光源体（ＬＥＤ光源体）
１１  取付体
１１Ａ、１１Ｂ  半球体
１２  取付凹部
１３  ＬＥＤユニット
１５  放熱フィン
１６  連通室
２５  リード線
３０Ａ、３０Ｂ  挿入部
４０  連結部材
４１  凸部（連結軸）
４５  連結軸
【図１】
2008218182.tif 000003
【図２】
2008218182.tif 000004
【図３】
2008218182.tif 000005
【図４】
2008218182.tif 000006
【図５】
2008218182.tif 000007
【図６】
2008218182.tif 000008
【図７】
2008218182.tif 000009
【図８】
2008218182.tif 000010
【図９】
2008218182.tif 000011